(57)【要約】【課題】ＲＧＢ−ＬＥＤを光源とする広い色再現性を備えた表示装置において、寸法や重量の増大や構造の複雑化を防止しながら、表示面内全域において良好な色度均一性を得ることを目的とする。【解決手段】バックライト２の出射面２１において、あらかじめ測定した測定値に基づいて、ＲＧＢ−ＬＥＤ２ｅ１近傍の色度ムラ発生領域２２に相当する表示素子１の各画素に対して補正を行う。各色のＲＧＢ−ＬＥＤ２ｅ１の配置領域近傍の色度ムラ発生領域２２に対して、表示面全体で階調補正を行い、割り当てた階調補正データ５２により算出した表示素子駆動信号５３を制御回路５より表示素子１に入力する。【選択図】図３
2014211567.tif 000002
【特許請求の範囲】
【請求項１】
表示素子と、
前記表示素子の表示画像を制御する制御回路と、
前記表示素子の背面に配置され、発光色の異なる複数の点状光源を有して、出射面より面状の光を出射するバックライトと、を備え
前記出射面は、前記各点状光源近傍おける色度ムラ発生領域および色度ムラのない混色領域を有しており、
前記制御回路は、
前記色度ムラ発生領域において、前記混色領域であらかじめ設定された白色色度の目標値に対し、前記色度ムラの色度強度に対応した階調補正データを割り当て、前記階調補正データより算出した映像信号を補正し、前記表示素子に前記映像信号を入力することで、前記表示素子の色度ムラ発生領域の透過率を調整することを特徴とする表示装置。
【請求項２】
前記色度ムラの色度強度に対応した階調補正データは、前記目標値の映像信号に対し、前記階調データを低く設定して、透過率を調整することを特徴とする請求項１記載の表示装置。
【請求項３】
前記バックライトは、各発光色の色度強度を検出する色度センサを備え、前記白色色度の目標値に対する補正値を設定する駆動回路より、各発光色の点状光源を独立して制御することを特徴とする請求項１または２記載の表示装置。
【請求項４】
前記表示素子は、カラーフィルタを備えた液晶表示パネルであることを特徴とする、請求項１乃至３のいずれか１項に記載の表示装置。
【発明の詳細な説明】
【技術分野】
【０００１】
本発明は、表示装置に関するものであり、特に発光色の異なる複数の点状光源を有するバックライトを備えた表示装置に関するものである。
【背景技術】
【０００２】
近年の情報電子機器の普及に伴い、薄型、軽量の表示装置は、携帯電話やパソコン用のディスプレイ、産業用途で使用される各種の装置、車載の表示器、ハンディ端末や広告表示機として使用されている。表示装置は、多くは画素ごとにＲＧＢ（Ｒｅｄ：赤、Ｇｒｅｅｎ：緑、青：Ｂｌｕｅ、光の３原色）のカラーフィルタを配置した透過型の液晶表示パネルを表示素子として備え、その背面に配置したバックライトで照射し、入力信号に応じて液晶への電気信号を制御し、各画素における透過光量を調整することにより、画像の表示を行っている。
【０００３】
バックライトに用いられる光源としては、近年特にＬＥＤ（Ｌｉｇｈｔ  Ｅｍｉｔｔｉｎｇ  Ｄｉｏｄｅ）が用いられる場合が増加しており、ＬＥＤの著しい性能向上に伴い、従来のＣＣＦＬ（Ｃｏｌｄ  Ｃａｔｈｏｄｅ  Ｆｌｕｏｒｅｓｃｅｎｔ  ｔｕｂｅ）を光源とする液晶表示装置と比較し、小型化、高輝度化、低消費電力化が進んでいるが、青色ＬＥＤと蛍光体を組み合わせた白色ＬＥＤを光源として使用する場合、出射される光の波長特性上、特に波長の長い赤の表示において、鮮やかな色を再現することが難しかった。
【０００４】
特許文献１に記載された表示装置は、発光色の異なるＲＧＢ−ＬＥＤ光源から出射された光を、表示面を照射する導光板とは別に設けた混色用導光板に入射させ、十分な距離を伝播させることで、ＲＧＢの各色をムラなく混色した上で、表示面を照射する導光板へ入射させる構造としている。
【０００５】
また、特許文献２に示された表示装置は、光源として発光色の異なるＲＧＢ−ＬＥＤを備え、複数のエリアに分割した表示領域の各表示画面に合わせて、各エリアのＲＧＢの階調に応じた光源の輝度値を算出、調整することにより、色再現性とコントラストを向上させ、消費電力を削減する手法が示されている。
【先行技術文献】
【特許文献】
【０００６】
【特許文献１】特許第４１５６９１９号公報
【特許文献２】国際公開２００９／１１０１２９号公報
【発明の概要】
【発明が解決しようとする課題】
【０００７】
特許文献１に記載された表示装置においては、均一に混色されたバックライトからの出射光を得ることができるが、混色用導光板や混色用導光板からの光を１８０°折り返すための反射部材が必要となるため、表示装置の寸法や重量が増大する、または、部品点数が増加し、構造が複雑になるという問題があった。
【０００８】
特許文献２に記載された表示装置では、表示される画像の表示信号に応じ、ＲＧＢごとの階調特性やカラーフィルタの透過特性に起因する色度ズレを補正するため、分割した各表示エリア全域に対する平均的な色度としては正確な値が得られるが、面状光源には発光色の異なるＲＧＢ−ＬＥＤが配置されるため、各色の光源近傍において他の色と完全な混色が難しい場合、特定のＬＥＤの色が強くなり、色度ムラが生じやすい。
【０００９】
この発明は、上記のような問題点を解消するためになされたもので、ＲＧＢ−ＬＥＤを光源とする広い色再現性を備えた表示装置において、寸法や重量の増大や構造の複雑化を防止しながら、表示面内全域において良好な色度均一性を得ることを目的とする。
【課題を解決するための手段】
【００１０】
本発明の表示装置は、表示素子と、表示素子の表示画像を制御する制御回路と、表示素子の背面に配置され、発光色の異なる複数の点状光源を有して、出射面より面状の光を出射するバックライトと、を備え、出射面は、各点状光源近傍おける色度ムラ発生領域および色度ムラのない混色領域を有しており、制御回路は、色度ムラ発生領域において、混色領域であらかじめ設定された白色色度の目標値に対し、色度ムラの色度強度に対応した階調補正データを割り当て、階調補正データより算出した映像信号を補正し、表示素子に映像信号を入力することで、表示素子の色度ムラ発生領域の透過率を調整することを特徴とする。
【発明の効果】
【００１１】
本発明によれば、発光色の異なる複数の点状光源を備えた表示装置において、寸法や部品点数の増大、構造の複雑化を招くことなく、表示装置の表示領域で色ムラが発生することを防止し、表示面全域において良好な色度均一性を得ることができる。
【図面の簡単な説明】
【００１２】
【図１】本発明に係る表示装置の分解斜視図である。
【図２】図１の表示装置を組み立てた状態でＡ−Ａ方向から見た断面図である。
【図３】本発明に係るバックライト平面図である。
【図４】図３のバックライトのＢ−Ｂ領域における色度ムラの発生位置と強度の一例を示す図である。
【図５】図４に示した色度ムラを補正するための、各色の階調補正値を示す図である。
【図６】映像信号を元に、演算回路により液晶パネルの階調データを補正する工程を示すブロック図である。
【図７】ＲＧＢの色度センサを備えた、本発明に係るバックライトを示す図である。
【図８】図７に示したＲＧＢ色度センサを備えたバックライトにおける、色度センサからのフィードバックによる白色色度補正を示すブロック図である。
【発明を実施するための形態】
【００１３】
実施の形態１．
以下、この発明の実施の形態を図に基づいて説明する。各図において同一の符号を付されたものは、実質的に同様の構成要素を示す。図１は本発明の実施の形態における表示装置の構成を説明する分解斜視図、図２は、図１の表示装置を組み立てた状態でＡ−Ａ方向から見た断面図である。
【００１４】
＜表示装置の全体構成＞
図１および図２に示すように、本発明の表示装置１００は、表示素子１と該表示素子１を背面より照射するためのバックライト２と、表示素子１およびバックライト２を内部に配置し、開口部３ａを有する筐体３および画像入力信号に応じ表示素子１の各画素の透過率を制御する制御回路５（後述）を搭載した回路基板４を備えている。また、表示素子１の前面には、外部より画面に対する位置信号入力を行うためのタッチパネルおよびタッチパネルを保護するための概ね透明の保護部材（共に図示せず）、後面には回路基板４を保護するためのカバー（図示せず）を備えている場合もある。
【００１５】
次に、本発明における表示装置１００を構成する上記各部材に関し説明する。
＜表示素子＞
表示素子１は、（透過型または半透過型の）液晶表示パネルより成り、液晶の複屈折性を応用し、ガラスなどの絶縁性基板上にカラーフィルタ、遮光層、対向電極等が形成された第１の基板１１と、ガラスなどの絶縁性基板上にスイッチング素子となる薄膜トランジスタ（Ｔｈｉｎ Ｆｉｌｍ Ｔｒａｎｓｉｓｔｏｒ、以下、ＴＦＴと称す）画素電極等が形成された第２の基板１２とを備えている。また、第１の基板１１と第２の基板１２との間隔を保持するためのスペーサ、第１の基板１１と第２の基板１２とを貼り合わせるためのシール材、また、両基板間に狭持させる液晶、液晶を注入する注入口の封止材、液晶を配光させる配向膜、両基板の外側面上に配置された偏光板（図示せず）、および第２の基板１２の外周部、あるいは第２の基板１２の外周部に接続されたテープ状の配線材料（ＴＣＰ、ＣＯＦ等）上に配置された駆動用ＩＣ１３などにより構成されている。
【００１６】
＜バックライト＞
バックライト２は光を出射する光源２ｅ、光源２ｅから出射された光を伝播する導光板２ｃ、導光板２ｃから出射された光の分布、広がりを制御するため、導光板２ｃの出射面２ｃ１に配置された光学シート２ｂ、導光板２ｃの反出射面２ｃ２へ抜けた光を導光板２ｃへ向かわせる反射シート２ｄおよびそれらの部材を保持する背面筐体２ｆ等によって構成されており、表示素子１を表示面と反対側である第２の基板１２側より照射している。
【００１７】
光源２ｅは、ＲＧＢ（Ｒｅｄ：赤、Ｇｒｅｅｎ：緑、青：Ｂｌｕｅ、光の３原色）の点状光源であるＲＧＢ−ＬＥＤ２ｅ１を用い、光源基板２ｅ２上に３原色のＲＧＢ−ＬＥＤ２ｅ１を同じ色が連続しないように交互に配置されている。点状光源を実装する光源基板２ｅ２として一般的なガラスエポキシ樹脂をベースにするものや、フレキシブルなフラットケーブルを使用してもよく、また、放熱性を高めるために、アルミ等の金属やセラミックをベースとしたものを使用してもよい。本実施の形態ではＲＧＢの３原色のＬＥＤ（ＲＧＢ−ＬＥＤ２ｅ１）を同じ色が連続しないように交互に配列した例を示したが、ＲＧＢ−ＬＥＤ２ｅ１は、所望の色再現性、光学性能に応じて、ＲＧＢ以外の発光色のＬＥＤを追加してもよい。
【００１８】
導光板２ｃは、透明なアクリル樹脂やポリカーボネート樹脂、ガラスなどで構成され、導光板２ｃの反出射面２ｃ２または／および出射面２ｃ１には、光を出射させるとともに、面内の光の強度分布や出射方向を調整するための、散乱用ドットパターンやプリズム形状を備える。
【００１９】
さらに、導光板２ｃ上には、出射光の強度分布や出射角を調整するために、光学シート２ｂが配置されている。光学シート２ｂとしては、集光を目的としたレンズシート、光の均一化を目的とした拡散シート、視野角方向で輝度を調整する視野角調整シート等が、目的に応じて必要な枚数配置されている。
【００２０】
また、本実施の形態においては、上記のように導光板２ｃの側面２ｃ３に光源２ｅを配置した、エッジ入光タイプのバックライトについて説明を行うが、導光板２ｃを備えず、表示素子１の裏面と対向する背面筐体２ｆの底面の全面に光源を配置した、直下型バックライトに対しても、同様の効果を得ることができる。
【００２１】
前面筐体２ａは、導光板２ｃの出射面２ｃ１からの光を出射させるための開口部を有し、上面側周辺には表示素子１が搭載、位置決めされて保持される。前面筐体２ａの材質としては、アルミニウム、ステンレス、鉄等の金属や、ＰＣ（Ｐｏｌｙｃａｒｂｏｎａｔｅ：ポリカーボネート）、ＡＢＳ（Ａｃｒｙｌｏｎｉｔｒｉｌｅ Ｂｕｔａｄｉｅｎｅ Ｓｔｙｒｅｎｅ：アクリロニトリルブタジエンスチレン）等の樹脂材料を用いることができる。
【００２２】
背面筐体２ｆには、光源２ｅが位置決め、保持され、光源２ｅから放出される熱を伝導させるために、熱伝導性が高い金属を使用することが望ましい。特に熱伝導性が高いアルミまたはアルミ合金筐体を用いることで、効率よく光源２ｅからの熱を放熱して、バックライト２に熱がこもるのを防止することができる。
【００２３】
上記前面筐体２ａ及び背面筐体２ｆは、一般にツメによる引っ掛け構造やネジ止めにより互いに固定され、他のバックライト部材や表示素子１、回路基板４等を保持するが、両者を一体化した構造としてもよい。
【００２４】
＜筐体＞
筐体３は、表示素子１、バックライト２、タッチパネルおよび保護部材等（図示せず）を保持する枠状の部材であり、薄板の金属あるいは樹脂成型品等により構成され、ツメ状の固定構造あるいはネジ止め等により、バックライト２と固定される。筐体３は、一体で形成してもよいし、複数の部材を組み合わせることにより構成してもよく、側面、正面、背面、あるいは周辺部等に、最終製品への取り付け部（ネジ、取付穴等）を設けてもよい。
【００２５】
＜タッチパネル＞
タッチパネル（図示せず）は、透明な基板上に形成された透明電極による回路により外部（使用者）から入力された位置座標に関する情報を電気信号に変換し、端部に接続された出力配線部を介して最終製品の制御回路へ伝達する。出力配線部としては、薄さと柔軟性による接続の自由度から、フィルム上の基材に配線を形成したＦＰＣ（Ｆｌｅｘｉｂｌｅ  Ｐｒｉｎｔｅｄ  Ｃｕｒｃｕｉｔ：以下、ＦＰＣと称する）が用いられるが、同等の機能、特性を有するものであれば、異なる材料、構造から成るものでもよい。
【００２６】
また、タッチパネルは、入力面側からの加圧や接触による損傷、変形、磨耗、汚れ等を防止するために、ガラスあるいはプラスチック等の透明材料からなる保護部材（図示せず）を、前面側に備えてもよく、保護部材の表面あるいは裏面の周辺部へは、遮光あるいは意匠上の目的により、印刷を付加することもできる。
【００２７】
＜回路基板＞
回路基板４は、制御回路５（後述）が搭載されており、表示素子１や光源２ｅを電気的入出力信号により制御するもので、通常ガラスエポキシ等に銅パターンが形成され、表面に電子部品がハンダにより実装されており、主に表示装置１００の裏面側（光が出射されない側）に配置、固定されるが、表示素子１に接続されたフィルム上の基材に、配線を形成したＦＰＣ上に電子部品を実装し構成しても良い。また、回路基板４を外部からの圧力や静電気から保護するために、アルミニウムやステンレス、亜鉛めっき鋼板等の金属、あるいはＰＥＴ（Ｐｏｌｙｅｔｈｙｌｅｎｅ ｔｅｒｅｐｈｔｈａｌａｔｅ）等フィルム状の薄い樹脂から成る保護カバー（図示せず）を取り付けてもよい。金属製の保護カバーを使用する場合は、回路基板４側には回路基板４や回路基板４上の電子部品との電気的接触を避けるためにＰＥＴ等の樹脂製シートを貼り付け、絶縁対策を行うことが望ましい。
【００２８】
実施の形態１．
【００２９】
次に、本発明のＲＧＢ−ＬＥＤ２ｅ１を光源２ｅとする表示装置１００において、階調信号の制御により各光源近傍においても良好な色度均一性を実現する構成と、その機能および効果について説明を行う。
【００３０】
図３は、本発明のバックライト２の正面図である。図４は、図３のＢ−Ｂ線上において、バックライト２の出射光が完全に混色された白色光に対する、各光源２ｅであるＲＧＢ−ＬＥＤ２ｅ１における色ムラの程度を示す図である。図５は、図４のバックライト２の出射面２１のＢ−Ｂ線上に相当する、表示素子１上の位置における、階調信号における入力の補正値を、図６は、映像信号６に対する色度ムラの補正制御に関するブロック図を示す。
【００３１】
図３に示すように、本発明のバックライト２は、導光板２ｃの側面２ｃ３に沿って、ＲＧＢ−ＬＥＤ２ｅ１が配置されたエッジ入光タイプである。エッジ入光タイプのバックライト２の出射面２１において、ＲＧＢ−ＬＥＤ２ｅ１で色度ムラが発生する色度ムラ発生領域２２がある。すなわち、導光板２ｃへ入射した光は導光板２ｃの材料と空気との屈折率により、スネルの法則に従い導光板２ｃ内での広がり角度が制約されるため、ＲＧＢ−ＬＥＤ２ｅ１近傍では、各ＲＧＢ−ＬＥＤ２ｅ１の発光色Ｒ（赤）、Ｇ（緑）、Ｂ（青）の３色を十分に混色することは難しく、色度ムラ発生領域２２が存在する。
【００３２】
ＲＧＢ−ＬＥＤ２ｅ１の配置位置より離れた領域は、ＲＧＢ−ＬＥＤ２ｅ１の発光色Ｒ（赤）、Ｇ（緑）、Ｂ（青）の出射光が混色される混色領域２３となる。この混色領域２３上の出射面２１では、色度ムラが発生しない白色色度となっているため、本発明において混色領域２３の白色輝度を目標値と設定する。
【００３３】
図４に示すように、図３の色度ムラ発生領域２２であって、Ｂ−Ｂ線上の色度分布を参照すると、出射面２１のそれぞれのＲＧＢ−ＬＥＤ２ｅ１の正面を中心に、各ＲＧＢ−ＬＥＤ２ｅ１の発光色Ｒ（赤）、Ｇ（緑）、Ｂ（青）が強く現れる。このため、十分に混色された状態である混色領域２３における白色色度の目標値に対して、ＲＧＢ−ＬＥＤ２ｅ１の正面位置をピークとして、直近の各光源色である色度強度が１０％強く現れていることが示されている。
【００３４】
そこで、本発明においては、バックライト２の出射面２１上に配置される表示素子１のＢ−Ｂ線に相当する画素において、図５に示す、Ｒ（赤）、Ｇ（緑）、Ｂ（青）各色の色度強度が高くなっている箇所に対して、本来の映像信号に対し、補正値を入力する。
【００３５】
具体的には色度ムラとなって強く現れている色の色度強度が、図５に示すように、相対的に色度強度の逆形状となるよう、正面のピークの透過率を本来の映像信号６に対し１０％低くなる階調設定とする。これにより、バックライト２からの出射光と相殺させて補正する。このような構成により、表示素子１を透過した光は、Ｂ−Ｂ線上全域にわたって、周辺と比較して均一な色度を得ることができる。
【００３６】
次に、表示素子１の表示面全体に対して、色度ムラを補正する手順について述べる。図３に示した、白色色度の目標値となる条件でＲ（赤）、Ｇ（緑）、Ｂ（青）のＲＧＢ−ＬＥＤ２ｅ１を駆動してバックライト２を点灯させた状態で生じる色度ムラに関し、あらかじめバックライト２の出射面２１全体で測定を行い、それぞれの位置における色度ムラを定量化する。
【００３７】
上記定量化した色度ムラのデータを元に、図６に示すように、ＲＧＢ−ＬＥＤ２ｅ１近傍の色度ムラ発生領域２２に相当する表示素子１の各画素に対して補正を行う。まず、定量化した色度ムラのデータを元に、色度ムラの色度強度に対応した階調補正データ５２を割り当て、回路基板４に搭載される制御回路５に設けた色度演算処理部５１に保持しておく。
【００３８】
上記階調補正データ５２に基づき、実際に入力された映像信号６に対して、前述の色度演算処理部５１により色度ムラ発生領域２２が生じている領域に対して階調補正を行い、表示素子１へ実際に入力する階調補正データ５２を算出して、表示素子駆動信号５３を設定する。表示素子駆動信号５３により、色度ムラの色度強度に応じて透過率が調整される。これにより、バックライト２が有するＲＧＢ−ＬＥＤ２ｅ１近傍での色度ムラを相殺し、表示素子１の表示領域全域において本来の映像信号６とずれのない色再現性を得ることができる。
【００３９】
上記説明したとおり、本発明の表示装置１００によれば、バックライト２の出射面２１において、あらかじめ測定した測定値に基づいて、ＲＧＢ−ＬＥＤ２ｅ１近傍の色度ムラ発生領域２２に相当する表示素子１の各画素に対して補正を行う。各色のＲＧＢ−ＬＥＤ２ｅ１の配置領域近傍の色度ムラ発生領域２２に対して、表示面全体で階調補正を行い、割り当てた階調補正データ５２により算出した表示素子駆動信号５３を制御回路５より表示素子１に入力することで、表示素子１の透過率を調整させる。これにより表示素子１の表示領域全域で色度ムラを防止することができる。よって、ＲＧＢ−ＬＥＤ２ｅ１を光源２ｅとする広い色再現性を備えた表示装置１００において、各色の発光光の混色のための混色部材を設ける必要がないため、寸法の増大や構造の複雑化を避けながら、表示面内全域において良好な色度均一性を得ることができる。
【００４０】
実施の形態２．
図７は本実施の形態２における、ＲＧＢの色度センサ７を備えたバックライト２を示す、図８はＲＧＢの色度センサ７を備えたバックライト２における色度センサ７からのフィードバックによるバックライト２の白色色度を目標値に保つためのブロック図である。
【００４１】
実施の形態１においては、バックライト２の出射面２１において、各色のＲＧＢ−ＬＥＤ２ｅ１を配置した色度ムラ発生領域２２に対して階調補正を行い、割り当てた階調補正データ５２により算出した表示素子駆動信号５３を制御回路５より表示素子１に入力することで、表示素子１の透過率を調整させる構成としたが、本実施の形態２においては、表示素子１の透過率を調整する構成に加え、図７に示すように、バックライト２にＲＧＢの色度強度を検出する色度センサ７を備えている。また、制御回路５は、図８に示すように、色度センサ７からの検出データ７１に応じてＲＧＢ−ＬＥＤ２ｅ１の輝度を各色独立で制御する、ＲＧＢ−ＬＥＤ独立駆動回路７２を備えている。なお、本構成以外は、実施の形態１の構成と同様であり、以下で説明する本実施の形態２に係る表示装置の特有の作用効果以外は、実施の形態１に係る表示装置と同様の作用効果を有する。
【００４２】
図７に示すように、色度センサ７の取り付け位置は、ＲＧＢが十分に混色される混色領域２３内（色度ムラが発生していない箇所）であって、バックライト２の側部に配置する。なお、混色領域２３内であれば、図７に示した側部以外の位置に配置してもよい。
【００４３】
このように配置された色度センサ７により検出した各色の色度センサ検出データ７１は、図８に示す回路基板４に搭載されたＲＧＢ−ＬＥＤ独立駆動回路７２に入力される。入力された色度センサ検出データ７１は、実施の形態１で説明した、あらかじめ設定された白色色度の目標値と比較される。このとき目標値とのずれがある場合、ＲＧＢ−ＬＥＤ独立駆動回路７２によって補正され、ＲＧＢ−ＬＥＤ２ｅ１へ補正された信号が入力される。このように異なる発光色の光源に対し、補正された信号を入力することで、独立にフィードバックが行われる。
【００４４】
よって、実施の形態２の構成によれば、バックライト２の白色色度を色度センサ７により検出して、あらかじめ設定された白色色度の目標値と比較して補正値を設定し、各色のＲＧＢ−ＬＥＤ２ｅ１へ独立した補正信号をＲＧＢ−ＬＥＤ独立駆動回路７２よりフィードバックして入力することで、より正確に目標値を保つことができる。このように、独立して光源２ｅの色度を制御することで、目標値とずれのない白色色度を得ることができる。よって、バックライト２の目標値をほぼ一定に保つことができるため、表示素子１の表示領域全域において良好な色度均一性を得ることが可能となる。
【００４５】
なお、ＲＧＢ−ＬＥＤ独立駆動回路７２は、図８に示したように表示素子１の制御回路５と一体化せずに、別体で構成してもよい。
【符号の説明】
【００４６】
１ 表示素子、１１ 第１の基板、１２ 第２の基板、１３ 駆動IC、
２ バックライト、２ａ 前面筐体、２ｂ 光学シート、
２ｃ 導光板、２ｃ１ 出射面、２ｃ２ 反出射面、
２ｄ 反射シート、
２ｅ 光源、２ｅ１ ＲＧＢ−ＬＥＤ、２ｅ２ 光源基板、２ｆ 背面筐体、
２１  バックライトの出射面、２２  混色領域、２３  色度ムラ発生領域、  
３ 筐体、４ 回路基板、５ 制御回路、５１  色度演算処理部、
５２  階調補正データ、５３  表示素子駆動信号、６ 映像信号、７ 色度センサ、
７１  色度センサ検出データ、７２  ＲＧＢ−ＬＥＤ独立駆動回路、
１００  表示装置。
【図１】
2014211567.tif 000003
【図２】
2014211567.tif 000004
【図３】
2014211567.tif 000005
【図４】
2014211567.tif 000006
【図５】
2014211567.tif 000007
【図６】
2014211567.tif 000008
【図７】
2014211567.tif 000009
【図８】
2014211567.tif 000010